【手続補正書】
【提出日】平成24年2月7日(2012.2.7)
【手続補正１】
【補正対象書類名】明細書
【補正対象項目名】発明の名称
【補正方法】変更
【補正の内容】
【発明の名称】表示制御装置、制御方法、プログラム、及び記憶媒体
【手続補正２】
【補正対象書類名】明細書
【補正対象項目名】０００１
【補正方法】変更
【補正の内容】
【０００１】
本発明は、サムネイル画像表示から本体画像表示への滑らかな遷移を実現するための表示制御装置、制御方法、プログラム、及び記憶媒体に関する。
【手続補正３】
【補正対象書類名】明細書
【補正対象項目名】００１５
【補正方法】変更
【補正の内容】
【００１５】
本発明の目的は、サムネイル画像の表示から本体画像の表示への遷移を滑らかに行うことを可能とした表示制御装置、制御方法、プログラム、及び記憶媒体を提供することにある。
【手続補正４】
【補正対象書類名】明細書
【補正対象項目名】００８５
【補正方法】変更
【補正の内容】
【００８５】
次に、システム制御部５０は、下記の式により拡大して次に表示すべき画像の幅ｎｗ［ｉ］と高さｎｈ［ｉ］を算出する（ステップＳ８０８）。
【手続補正５】
【補正対象書類名】特許請求の範囲
【補正対象項目名】全文
【補正方法】変更
【補正の内容】
【特許請求の範囲】
【請求項１】
第１の画像データと該第１の画像データよりも画素数の少ない第２の画像データとにより各コマが構成された画像を記憶媒体から読み出して表示手段に表示する表示制御装置であって、
前記第１の画像データに基づいた画像を前記表示手段の表示領域のサイズに基づく第１の表示サイズで１枚ずつ前記表示手段に表示する第１の画像表示方法と、前記第２の画像データに基づいた画像を前記第１の表示サイズよりも小さく設定された第２の表示サイズで前記表示手段に表示する第２の画像表示方法のいずれかの画像表示方法に、操作手段の操作に応じて切り替える切替制御手段と、
前記切替制御手段により前記第２の画像表示方法による表示から前記第１の画像表示方法による表示に切り替える際に、前記表示手段に表示されている前記第２の画像データに基づいた画像のうち、前記第１の画像データに対応する領域を、前記第１の画像データに基づいた画像に置き換える置き換え手段と、
前記置き換え手段によって置き換えられて表示されている前記第１の画像データに基づいた画像を前記第１の表示サイズになるまで順次拡大しながら表示していくよう制御する表示制御手段と
を備えることを特徴とする表示制御装置。
【請求項２】
同一のコマ画像を構成する前記第１の画像データと前記第２の画像データの縦横比が一致しない場合があることを特徴とする請求項１に記載の表示制御装置。
【請求項３】
前記第１の画像データと縦横比が一致しない前記第２の画像データは、第１の画像データの全体を縮小した画像領域と、単一色領域よりなることを特徴とする請求項２に記載の表示制御装置。
【請求項４】
前記対応する領域は、前記第２の画像データのうち、前記単一色領域を除いた領域であることを特徴とする請求項３に記載の表示制御装置。
【請求項５】
前記置き換え手段による置き換えが行われると、前記単一色領域は表示されないことを特徴とする請求項４に記載の表示制御装置。
【請求項６】
前記第２の画像データの縦横比は、コマ毎に異なる場合のある前記第１の画像データの縦横比に関わらず一定の縦横比で記録されていることを特徴とする請求項２乃至５のいずれか１項に記載の表示制御装置。
【請求項７】
前記各コマは、それぞれＥｘｉｆ規格の画像ファイルであり、前記第２の画像データはＥｘｉｆ規格のサムネイル画像であることを特徴とする請求項６に記載の表示制御装置。
【請求項８】
前記表示制御手段は、前記第２の画像表示方法により前記第２の画像データに基づいた画像を表示している場合で前記操作手段の操作が予め定められた時間なされない場合に、前記第２の画像データに基づいた画像の表示から前記第１の画像データに基づいた画像の表示に遷移させることを特徴とする請求項１乃至７のいずれか１項に記載の表示制御装置。
【請求項９】
前記第２の画像表示方法では、前記第２の画像データに基づいた画像を前記表示手段の予め定められた表示位置に強調表示すると共に、前記強調表示された前記第２の画像データとはそれぞれ異なるコマの少なくとも２つの前記第２の画像データに基づいた画像を前記表示手段に表示し、
前記置き換え手段は、表示されている複数の前記第２の画像データのうち、前記強調表示された前記第２の画像データについて、前記置き換えを行うことを特徴とする請求項１乃至８のいずれか１項に記載の表示制御装置。
【請求項１０】
前記表示制御手段は、前記第２の画像表示方法による表示から前記第１の画像表示方法による表示に切り替える際に、前記強調表示された前記第２の画像データとは異なるコマの少なくとも２つの前記第２の画像データに基づいた画像を非表示とすることを特徴とする請求項９記載の表示制御装置。
【請求項１１】
前記第１の画像データに基づいた画像の縦横比と前記第２の画像データに基づいた画像の縦横比が異なるか否かを判定する判定手段を更に有し、
前記置き換え手段は、前記判定手段によって縦横比が異なると判定された場合には前記表示制御手段による前記順次拡大より前に前記置き換えを行い、
前記判定手段による縦横比が異なると判定されなかった場合には、前記表示制御手段による前記第２の画像データを用いた順次拡大の後に前記表示手段に表示されている前記第２の画像データに基づいた画像のうち、前記第１の画像データに対応する領域を、前記第１の画像データに基づいた画像に置き換える処理を行うことを特徴とする請求項１乃至１０のいずれか１項に記載の表示制御装置。
【請求項１２】
前記切替制御手段は、単一の前記操作部材への操作方法の違いに応じて前記第１の画像表示方法から前記第２の画像表示方法に切り替えることを特徴とする請求項１乃至１１のいずれか１項に記載の表示制御装置。
【請求項１３】
撮像手段を有する撮像装置であることを特徴とする請求項１乃至１２のいずれか１項に記載の表示制御装置。
【請求項１４】
第１の画像データと該第１の画像データよりも画素数の少ない第２の画像データとにより各コマが構成された画像を記憶媒体から読み出して表示手段に表示する表示制御装置の制御方法であって、
前記第１の画像データに基づいた画像を前記表示手段の表示領域のサイズに基づく第１の表示サイズで１枚ずつ前記表示手段に表示する第１の画像表示方法と、前記第２の画像データに基づいた画像を前記第１の表示サイズよりも小さく設定された第２の表示サイズで前記表示手段に表示する第２の画像表示方法のいずれかの画像表示方法に、操作手段の操作に応じて切り替える切替制御ステップと、
前記切替制御ステップにより前記第２の画像表示方法による表示から前記第１の画像表示方法による表示に切り替える際に、前記表示手段に表示されている前記第２の画像データに基づいた画像のうち、前記第１の画像データに対応する領域を、前記第１の画像データに基づいた画像に置き換える置き換えステップと、
前記置き換えステップによって置き換えられて表示されている前記第１の画像データに基づいた画像を前記第１の表示サイズになるまで順次拡大しながら表示していくよう制御する表示制御ステップと、
を有することを特徴とする表示制御装置の制御方法。
【請求項１５】
コンピュータを、請求項１乃至１３のいずれか１項に記載された表示制御装置の各手段として機能させるプログラム。
【請求項１６】
コンピュータを、請求項１乃至１３のいずれか１項に記載された表示制御装置の各手段として機能させるプログラムを格納したコンピュータが読み取り可能な記憶媒体。